(57)【要約】【課題】全体の厚さの薄型化と、点灯回路部品等からリモコン受光回路ケース等への延焼防止を図ると共に、リモコン装置からの制御信号の受信精度の向上を図った照明器具を提供する。【解決手段】器具本体２に配設される蛍光ランプ４，４と；発光ダイオード、リモコン装置からの光制御信号を受光する受光センサを有するリモコン受光回路部およびリモコン受光回路部からの制御信号を受けて蛍光ランプと発光ダイオードの点灯を制御する点灯回路部を同一の回路基板に実装した点灯装置６と；リモコン装置からの光制御信号を受光して受光センサに導光する導光筒１０および発光ダイオードの発光を外部に照射する開口部を有し、リモコン受光回路部および発光ダイオードを被覆する樹脂製のリモコン部ケース１０と；基板の点灯回路部を被覆してリモコン部ケースに隣接する隔壁９ｃを有する不燃材よりなる点灯回路部ケース９と；を具備している。【選択図】  図３
2011108604.tif 000002
【特許請求の範囲】
【請求項１】
器具本体に配設される放電灯と；
発光素子、リモコン装置からの制御信号を受信するセンサを有するリモコン受信部およびリモコン受信部からの制御信号を受けて放電灯と発光素子の点灯を制御する点灯回路部を同一基板に実装した点灯装置と；
リモコン装置からの光制御信号を受信してセンサに導光する導光筒部および発光素子の発光を外部に照射する開口部を有し、点灯装置の発光素子およびリモコン受信部を被覆する樹脂ケースと；
点灯装置の点灯回路部を被覆するとともに樹脂ケースに隣接する隔壁を有する不燃材よりなる点灯回路部ケースと；
を具備していることを特徴とする照明器具。
【請求項２】
樹脂ケースは、点灯回路部ケースの隔壁と嵌合させる嵌合部を形成していることを特徴とする請求項１記載の照明器具。
【請求項３】
放電灯が環形であり、導光筒の制御信号が入射される開口は、器具本体の中央部側に向くように形成されていることを特徴とする請求項１または２記載の照明器具。
【請求項４】
ＬＥＤ照射部は、その照射開口部が器具本体の内面中央部側に向くように形成されていることを特徴とする請求項１ないし３のいずれか一記載の照明器具。
【請求項５】
点灯回路部ケースは、回路基板に係止されてこの回路基板を固定する係止部を具備していることを特徴とする請求項１ないし４のいずれか一記載の照明器具。
【発明の詳細な説明】
【技術分野】
【０００１】
本発明は円環形蛍光ランプ等の放電灯を具備した照明器具に関する。
【背景技術】
【０００２】
近年、この種の照明器具では、放電灯の点灯をリモコン装置により遠隔制御可能に構成されているものが知られている（例えば、特許文献１，２参照）。
【０００３】
この特許文献１記載の照明器具は、リモコン装置からのリモコン制御信号を受信（受光）する受光素子と、この受光素子とは別の位置に設けられる複数の常夜灯用ＬＥＤ（発光ダイオード）と、点灯回路部品を同一の点灯回路基板に実装している。
【０００４】
また、特許文献２記載の照明器具は、器具本体を天井等に着脱可能に取り付ける取付アダプタに、リモコン制御信号を受信する受光素子と常夜灯用ＬＥＤを配設している。
【先行技術文献】
【特許文献】
【０００５】
【特許文献１】特開２００８−９８１１６号公報
【特許文献２】特開２００８−２６２８６１号公報
【発明の概要】
【発明が解決しようとする課題】
【０００６】
しかしながら、上記特許文献１記載の照明器具では、点灯回路部品と、リモコン制御信号受信用の受光素子および常夜灯用ＬＥＤを実装する点灯回路基板５を、円盤状の反射板４により被覆している。
【０００７】
このために、大きな反射板４が必要になるので、その材料費の分、コスト高を招く上に、照明器具全体の薄型化と軽量化に不利になるという課題がある。
【０００８】
また、同一の点灯回路基板に、点灯回路部品と、リモコン制御信号受信用の受光素子および常夜灯用ＬＥＤを実装しているので、万一、点灯回路部品が不具合により燃焼したときには、その燃焼が受光素子や常夜灯用ＬＥＤに延焼する虞もある。
【０００９】
また、上記特許文献２記載の照明器具では、取付アダプタに受光素子とＬＥＤ常夜灯を配設するので、その分、取付アダプタ自体の構成が複雑になる上に、大形化とコストアップを招くという課題がある。
【００１０】
本発明は、このような事情を考慮してなされたもので、全体の厚さの薄型化、点灯回路部品等からリモコン受光回路等への延焼防止を図ると共に、リモコン装置からの制御信号の受信精度の向上を図った照明器具を提供することにある。
【課題を解決するための手段】
【００１１】
請求項１に係る照明器具は、器具本体に配設される放電灯と；発光素子、リモコン装置からの制御信号を受信するセンサを有するリモコン受信部およびリモコン受信部からの制御信号を受けて放電灯と発光素子の点灯を制御する点灯回路部を同一基板に実装した点灯装置と；リモコン装置からの光制御信号を受信してセンサに導光する導光筒部および発光素子の発光を外部に照射する開口部を有し、点灯装置の発光素子および発光素子およびリモコン部を被覆する樹脂ケースと；点灯装置の点灯回路部を被覆するとともに樹脂ケースに隣接する隔壁を有する不燃材よりなる点灯回路部ケースと；を具備していることを特徴とする。
【００１２】
ここで、放電灯とは、環形の放電灯を含み、円環形や矩形、直管形等の蛍光ランプであり、その形状には限定されない。発光素子が発光ダイオードである場合、例えばＳＭＤ（砲弾型）やＬＥＤチップなどが挙げられる。
【００１３】
リモコン装置からの制御信号は、例えば赤外線であり、蛍光ランプの発光スペクトラム中の赤外線の波長域に含まれないものが望ましいが、超音波などであっても構わない。
【００１４】
点灯回路は、例えば蛍光ランプを高周波点灯する、例えばインバータ点灯回路であり、発光素子は、これを直流点灯するための素子点灯回路を有するものが挙げられるが、これに限定されるものではない。
【００１５】
点灯装置の基板上に形成される点灯回路部は、基板のリモコン部を例えばコ字状、すなわち、開口側を基板面側に配設した立方体で囲むように形成されることが好ましいが、これに限定されるものではない。基板のリモコン部は器具本体の例えば中央部ないしその近傍に配置されることが好ましい。
【００１６】
基板の点灯回路部を被覆する点灯回路部ケースは、例えば亜鉛めっき鋼板の薄板や、冷間圧延鋼板などが挙げられ、また、その隔壁とは、例えば合成樹脂製のリモコン部ケースの側壁に隣接して、例えばコ字状に囲む側壁である。なお、回路ケースは基板面を除く全てを覆うことが可能であれば、その形状や材質などは限定されない。
【００１７】
樹脂ケースの導光筒は、円筒でも角筒でもよく、リモコン部ケース上で直立しても傾斜してもよく、近接している放電灯からの照射光が直接入射することを抑制し、センサが受信可能であれば、その形状などは限定されるものではない。また、ケース上で立ち上がる高さがあればよい。
【００１８】
請求項２に係る照明器具は、樹脂ケースは、点灯回路部ケースの隔壁と嵌合させる嵌合部を形成していることを特徴とする。
【００１９】
ここで、樹脂ケースの隔壁を嵌合させる樹脂ケースの嵌合部は、例えば樹脂ケースと隣接する隔壁の下端側を差し込むＵ字状の嵌合溝が挙げられるが、嵌合可能であればその方法などは限定されない。
【００２０】
請求項３に係る照明器具は、放電灯が環形であり導光筒の制御信号が入射される開口は器具本体の中央部側に向くように形成されていることを特徴とする。
【００２１】
ここで、環形の放電灯とは、丸形であっても角形であっても構わない。導光筒は、その制御信号の入射開口が器具本体の内面中央部側に向くように傾斜されていれば、導光筒全体が器具本体の中央方向に傾斜していても、基板面側から垂直に延在し、開口部が楕円となるよう傾斜するよう切断していても、基板面から垂直に延在し途中で傾斜していても、その形状は限定されるものではない。
【００２２】
請求項４に係る照明器具は、ＬＥＤ照射部を、その照射開口部が器具本体の内面中央部側に向くように形成していることを特徴とする。
【００２３】
請求項５に係る照明器具は、点灯回路部ケースが、回路基板に係止されてこの回路基板を固定する係止部を具備していることを特徴とする。
【発明の効果】
【００２４】
請求項１に係る発明によれば、点灯回路部ケースが不燃材により形成されているので、この点灯回路部ケース内の回路部品が不具合等により万一燃焼しても隣接する樹脂ケースへの延焼を不燃材の隔壁により防止または低減できる。
【００２５】
請求項２に係る発明によれば、点灯回路部ケースの隔壁を、リモコン部ケースの嵌合部に嵌合させることにより、この隔壁を有する点灯回路部ケースの側壁の変形を抑制することができる。
【００２６】
請求項３に係る発明によれば、導光筒の制御信号の入射開口が器具本体の内面中央部に向いているので、リモコン装置から器具本体の中央部側に照射される制御信号を効率良く入射させ、導光筒に近接する放電灯からの光がセンサに直接照射することを抑制できるとともに、センサに導光することができる。このために、リモコン受光回路の誤動作を低減できる。
【００２７】
請求項４に係る発明によれば、ＬＥＤ照射部の照射開口が器具本体の中央部側に向いているので、発光ダイオードの発光を、例えば常夜灯として使用する場合、近接する放電灯とがかげになることを抑制できるので、セードの中央部に、円形状に照射でき、美観を向上できる。
【００２８】
請求項５に係る発明によれば、点灯回路部ケースの係止部に、回路基板を係止させることにより、この回路基板を点灯回路部ケースに簡単かつ迅速に固定することができる。
【図面の簡単な説明】
【００２９】
【図１】本発明の一実施形態に係る照明器具のセードを外した状態の分解斜視図。
【図２】図１で示す照明器具の側面図。
【図３】図１，図２で示す照明器具のセードを取り外した状態の正面図。
【図４】図３のＩＶ−ＩＶ線断面図。
【図５】図１〜図４で示す点灯回路部ケースにリモコン部ケースを組み付けた点灯装置の斜視図。
【図６】図５で示す点灯回路部ケースとリモコン部ケースにより被覆される前の回路基板の平面図。
【図７】図５で示す点灯回路部ケースと、リモコン部ケースと、点灯回路基板の分解斜視図。
【図８】図１で示す照明器具の蛍光ランプを消灯して常夜灯ＬＥＤを発光させたときのセードの配光分布を示す図。
【発明を実施するための形態】
【００３０】
以下、本発明の実施形態を図面に基づいて説明する。なお、複数の図面中、同一または相当部分には同一符号を付している。
【００３１】
図１は本発明の一実施形態に係る照明器具のセードを外した状態の分解斜視図、図２はその側面図である。この図１，図２に示すように照明器具１は、図示しない天井等に取り付けられる金属製の器具本体２、この器具本体２を天井等の図示しない引っ掛けシーリングに着脱可能に取り付ける取付アダプタ３、器具本体２に配設される、例えば複数の環径の円環形等の環形蛍光ランプ４，４、プルスイッチ５、点灯装置６およびセード７を具備している。
【００３２】
器具本体２は、外形が薄形円盤状に形成される一方、中央部には、円形貫通孔の取付孔２ａを形成し、内面のほぼ全面に、例えば白色塗装等による反射面２ｂを形成している。この内面２ｂには、その内側（図１，図２では下側）へ同心円状に突出する複数の凸状リブ２ｃや内面側で凹む複数の凹部リブ２ｄをそれぞれ形成して器具本体２の強度の向上を図っている。これら凹部リブ２ｄ，…は、取付孔２ａから遠心方向外方へ延在するように放射状に形成されている。
【００３３】
取付アダプタ３は、高さが薄い円盤状に形成され、器具本体２の取付孔２ａ内の図１，図２中下部側に図示しない連結部を介して器具本体２に一体的に固定され、その連結部に沿って配線されるリード等により点灯装置６の電源入力側のコネクタに接続されている。取付アダプタ３は器具本体２の天井面への取付時に、天井面に設置されている引っ掛けシーリングに電気的かつ機械的に接続される。
【００３４】
環形蛍光ランプ４は、例えば環径が異なる大小、２本を有し、例えば管外径が約１６ｍｍの環形のガラスバルブを有し、ガラスバルブ内には希ガスと水銀を有する放電媒体が封入される。このガラスバルブの内面には、蛍光体膜が形成され、ガラスバルブの両端には電極が形成されている。ガラスバルブ２の両端部には、これら両端部を跨って口金４ａが配設され、口金４ａには、電極に電気的に接続された複数の口金ピン４ｂが器具本体２の中央部に向けて配設される。各口金４ａは点灯装置６の電気出力側に接続される図示しないソケットに着脱可能に装着されて受電する。
【００３５】
各環形蛍光ランプ４は各ランプホルダ８のＣ字状保持部内に、着脱可能に挿入されて保持される。各ランプホルダ８は器具本体２の内面２ｂに固着されている。
【００３６】
器具本体２は、その内面２ｂに、凹状リブ２ｄの近傍にてプルスイッチ５を配設している。また、器具本体２は、その図１中下部に、セード７を着脱可能に取り付ける取付縁部を形成している。セード７は透光性を有する、例えば乳白色の合成樹脂により、図１，図２中、下方へ大きな円弧面でなだらかに突出する薄型ドーム形状に形成されている。
【００３７】
図５は点灯装置６の斜視図である。点灯装置６はほぼコ字状の金属製の点灯回路部ケース９と、合成樹脂製のリモコン部ケース１０とを有する。
【００３８】
リモコン部ケース１０は、図６で示すほぼ矩形の点灯回路基板１１のリモコン部１１ａを被覆する有蓋角筒状のケース本体１０ｏを有する。点灯回路部ケース９は点灯回路基板１１のリモコン部１１ａ以外のほぼコ字状領域で点灯回路部品を実装する点灯回路部１１ｂを被覆する。すなわち、リモコン部１１ａと点灯回路部１１ｂは同一の点灯回路基板１１に形成されている。
【００３９】
リモコン部１１ａは、例えばＳＭＤ（砲弾型）等の複数の常夜灯用ＬＥＤ（発光ダイオード）１２，１２，…を実装し、その底面を白色塗料の塗布等により反射面１３に形成している領域と、リモコン受光センサとリモコン受光回路を有するリモコン受光回路装置１４を配設する領域と、モード切替スイッチ１５を実装する領域とを有する。
【００４０】
リモコン部１１ａは、そのコ字状外周部に、平面形状がコ字状の嵌合凹部１１ａ１を形成し、この嵌合凹部１１ａ１の図６中左右両端部には回路基板１１の板厚方向に貫通する嵌合孔１１ａ２，１１ａ２をそれぞれ形成している。
【００４１】
リモコン受光回路装置１４は、図示しないリモコン装置からの赤外線の光制御信号を受信（受光）するセンサおよび受信回路を有し、このリモコン受光センサおよび受信回路により受信した制御信号を点灯回路部１１ｂに与えて蛍光ランプ４，４と常夜灯用ＬＥＤ１２の点灯，消灯を制御させる。各蛍光ランプ４については制御信号に応じて調光も行う。
【００４２】
そして、点灯回路部ケース９は平面形状がほぼコ字状の有蓋角筒状の本体ケース９ａを有する。この本体ケース９ａは、その全体が不燃材の一例である冷間圧延鋼板の薄板により形成され、図５中、底面側９ａを全面的に開口する開口端に形成している。この開口端９ａは、その各辺において、器具本体２の内面２ｂに密着して水平方向外方へ突出する所要大の矩形状の複数の取付舌片９ｂ，９ｂ，…をそれぞれ一体に形成している。これら取付舌片９ｂは、器具本体２に形成された図示しない複数の嵌合孔内に嵌入されて、器具本体２に固定される。
【００４３】
図７に示すように点灯回路部ケース９は、そのコ字状開口の３面の内側面であって、樹脂製のリモコン部ケース１０の背面とその両側の左右一対の側面に隣接するコ字状の側面を隔壁９ｃ，９ｃ，９ｃとして一体に形成している。これら隔壁９ｃ，９ｃ，９ｃはこれら以外の側壁よりも若干短く形成され、その開口端部（図７では下端部）が後述するリモコン部ケース１０の平面コ字状のＵ字状嵌合溝１０ａ内に嵌入されるようになっている。
【００４４】
点灯回路部ケース９は、器具本体２の取付孔２ａ側に対向する側面９ｄの一方に、点灯回路基板１１の点灯回路部１１ｂの電源コネクタに着脱可能に装着されるコネクタ（図示省略）を挿通させるコネクタ挿通孔９ｅを形成している。
【００４５】
また、点灯回路部ケース９は、その複数の側壁９ｄの高さ方向ほぼ中間部にて、点灯回路基板１１の外縁部を板厚方向で挟持して器具本体２の内面に対してほぼ平行になるように支持固定する複数の係止部９ｆ，９ｆ，…を形成している。これら係止部９ｆ，９ｆ，…は、点灯回路部ケース９内に、点灯回路基板１１を水平状態で収容し、この点灯回路基板１１の上面と下面とにそれぞれ対応する部分にて上下一対の所要大の切込みを形成し、これら切込みを内方へ押し込み円弧状に湾曲突出させることにより、点灯回路基板１１の外縁部を板厚方向で挟持して支持するように形成している。
【００４６】
図５，図７に示すようにリモコン部ケース１０は、有蓋角筒状の本体ケース１０ｏを有する。この本体ケース１０ｏは、複数の常夜灯用ＬＥＤ１２，１２，…を被覆する角筒状のＬＥＤ部１０ａと、モードスイッチ１５を被覆するスイッチ部１０ｂ、リモコン受光センサを有するリモコン受光回路装置１４を被覆するほぼ角筒状のリモコン部１０ｃ、これら１０ａ〜１０ｃの背面とその両側面に形成された嵌合部１０ｄとを一体に連成している。また、図７に示すようにリモコン部ケース１０は、その本体ケース１０ｏの取付孔２ａ側端面下端に、左右一対の係止爪１０ｄ２，１０ｄ２を形成している。
【００４７】
ＬＥＤ部１０ａは常夜灯用ＬＥＤ１２の発光を外部に照射する、例えば矩形の照射開口１０ａ１を、蛍光ランプ４よりも器具本体２の内面２ｂ側に位置する高さで開口し、器具本体２の中央部である取付孔２ａ側に向けて所要角度で傾斜させている。この照射開口１０ａ１には光透光性と光拡散性を有するカバー１０ａ２を設けている。このカバー１０ａ２にレンズを設けてもよい。
【００４８】
リモコン部１０ｃは、その図５，図７中、上面上に、例えば円筒状の導光筒１０ｃ１を一体に突設している。導光筒１０ｃ１は、その先端開口１０ｃ２を、蛍光ランプ４よりも器具本体２の内面２ｂ側に位置する高さで開口し、器具本体２の中央部にある取付孔２ａ側に向けて所要角度で傾斜している。
【００４９】
平面形状がコ字状の嵌合部１０ｄは、Ｕ字状の嵌合溝１０ｄ１をほぼ全長に亘って形成しており、これら平面コ字状の嵌合溝１０ｄ１には、点灯回路部ケース９のコ字状の隔壁９ｃ，９ｃ，９ｃの開口端部が嵌入される。
【００５０】
そして、リモコン部ケース１０の開口端（図５，図７では下端）部は、点灯回路基板１１のコ字状嵌合凹部１１ａ１内に嵌入され、リモコン部ケース１０の一対の係止爪１０ｄ２，１０ｄ２は嵌合凹部１１ａ１の一対の嵌合孔１１ａ２，１１ａ２内に嵌入されて点灯回路基板１１に固定される。
【００５１】
次に、この照明器具１の作用を説明する。
【００５２】
図１に示すように、器具本体２は、取付アダプタ３により、天井面に設置されている引っ掛けシーリングに取り付けられて、器具本体２が天井面に支持されるとともに、器具本体２側と引っ掛けシーリング側とが電気的に接続される。
【００５３】
そして、図示しないリモコン装置を適宜操作して、その赤外線の制御信号を照明器具１のセード７の中央部に向けて送信すると、この光制御信号はセード７を透過してリモコン部ケース１０の導光筒１０ｃ１内に入射され、リモコン受光回路装置１４の受光センサにより受光される。
【００５４】
この受光センサにより受光された制御信号は点灯回路基板１１の回路を通って点灯回路部１１ｂに与えられる。
【００５５】
このために、点灯回路部１１ｂは制御信号に応じて蛍光ランプ４，４，４と常夜灯用ＬＥＤ１２，１２，…の点灯，消灯、または蛍光ランプ４，４，４の調光を制御する。また、点灯回路部１１ｂはプルスイッチ５の操作に応じて蛍光ランプ４，４と常夜灯用ＬＥＤ１２，１２の点灯等を制御する。
【００５６】
そして、この照明器具１によれば、点灯回路部ケース９が冷間圧延鋼板等の不燃材により形成されているので、この点灯回路部ケース９内の回路部品が不具合等により、万一、燃焼しても、隣接するリモコン部ケース１０への延焼を、不燃材の隔壁９ｃ，９ｃ，９ｃにより防止または低減できる。
【００５７】
また、点灯回路部ケース９の隔壁９ｃ，９ｃ，９ｃを、リモコン部ケース１０の嵌合部１０ｄの嵌合溝１０ｄ１に嵌合させることにより、これらの隔壁９ｃ，９ｃ，９ｃをリモコン部ケース１０により支持できるので、点灯回路部ケース９のゆがみ、変形を抑制することができる。
【００５８】
さらに、導光筒１０ｃ１の光制御信号の入射開口１０ｃ２が器具本体２の中央部、すなわちセード７の内面中央部に向いているので、入射開口近傍の蛍光ランプ４からの光が直接入射される光を抑制できるので、センサの誤動作を低減できる。また、リモコン装置からセード７の外面中央部に照射される光制御信号を導光筒１０ｃ１により効率良く入射させ、受光センサに導光することができる。このために、リモコン受光回路装置１４の誤動作をさらに低減できる。
【００５９】
また、常夜灯用ＬＥＤ１２の照射開口１０ａ１が蛍光ランプ４，４，４よりも低い位置、すなわち、器具本体２の内面２ｂ側に近い位置（高さ）で、器具本体２の中央部、すなわちセード７の内面中央部に向いているので、図８に示すように、常夜灯用ＬＥＤ１２の照射光が内側の小さい環形蛍光ランプ４に遮光されずに、例えば常夜灯としてセード７の中央部７ａ内面に照射できる。このために、セード７の中央部７ａに照射される蛍光灯用ＬＥＤ１２の発光が例えば円形状に照射でき、美観を向上できる。また、常夜灯用ＬＥＤ１２を実装している点灯回路基板１１の表面を白色塗装してなる反射面１３を有するので、常夜灯用ＬＥＤ１２から照射した光をこの反射面１３により効率よく照射開口１０ａ１から照射できる。
【００６０】
さらに、点灯回路部ケース９の複数の係止部９ｆ，９ｆ，…に、回路基板を係止させることにより、この回路基板を点灯回路部ケース９に取り付けるので、点灯回路基板１１を取り付けるためのねじ穴などを点灯回路基板１１に確保する必要がないので、点灯回路基板１１の小形化が可能になる。また肉厚の薄い点灯回路部ケース９の鋼板の変形を一層抑制することができる。また、点灯回路基板１１のコ字状嵌合凹部１１ａ１内にリモコン部ケース１０の開口下端を嵌入させることにより、その位置決めの容易性と精度を向上できる。さらに、リモコン部ケース１０の一対の係止爪１０ｄ２，１０ｄ２を点灯回路基板１１の嵌合孔１１ａ２，１１ａ２内に嵌入させることにより、点灯回路基板１１上にリモコン部ケース１０を簡単かつ確実に固定できる。
【符号の説明】
【００６１】
１…照明器具、２…器具本体、４…環形蛍光ランプ（放電灯）、６…点灯装置、７…セード、９…点灯回路部ケース、９ｂ…隔壁、９ｄ…側壁、１０…リモコン部ケース、１０ａ１…ＬＥＤ照射開口、１０ａ２…カバー、１１ａ…点灯回路部、１１ｂ…リモコン受光部、１２…常夜灯用ＬＥＤ、１４…リモコン受光装置。
【図１】
2011108604.tif 000003
【図２】
2011108604.tif 000004
【図３】
2011108604.tif 000005
【図４】
2011108604.tif 000006
【図５】
2011108604.tif 000007
【図６】
2011108604.tif 000008
【図７】
2011108604.tif 000009
【図８】
2011108604.tif 000010